(57)【要約】【課題】薬剤を効率よく揮散させることができるような形状を有する、揮散性薬剤保持用担体を提供する。【解決手段】  連続若しくは不連続で直線、波型、またはジグザグの切り込みがあり、前記切り込みが複数でかつ平行であることを特徴とする揮散性薬剤保持用担体が提供される。揮散性薬剤保持用担体としては、パルプ、紙、不織布、セルロース、レーヨン及び樹脂のいずれか一種を使用することができ、揮散性薬剤としては、殺虫剤、防虫剤、芳香剤及び消臭剤のいずれか１種以上を使用することができる。【選択図】図１
2018038277.tif 000002
【特許請求の範囲】
【請求項１】
連続若しくは不連続で直線、波型、またはジグザグの切り込みがあり、前記切り込みが複数でかつ平行であることを特徴とする揮散性薬剤保持用担体。
【請求項２】
切り込みの本数が５ｃｍ×５ｃｍあたり４〜２０本であることを特徴とする請求項１記載の揮散性薬剤保持用担体。
【請求項３】
揮散性薬剤保持用担体が、パルプ、紙、不織布、セルロース、レーヨン及び樹脂のいずれか一種であることを特徴とする請求項１または請求項２に記載の揮散性薬剤保持用担体。
【請求項４】
揮散性薬剤が、殺虫剤、防虫剤、芳香剤及び消臭剤のいずれか１種以上からなるものであることを特徴とする請求項１から請求項３のいずれに記載の揮散性薬剤保持用担体。
【請求項５】
請求項１から請求項４のいずれかに記載の揮散性薬剤保持用担体を、切り込みと平行する方向へ伸長させて使用することを特徴とする薬剤揮散方法。
【発明の詳細な説明】
【技術分野】
【０００１】
本発明は、殺虫剤、防虫剤、芳香剤、消臭剤などに使用される揮散性薬剤保持用担体に関するものである。
【背景技術】
【０００２】
従来から、揮散性の殺虫剤、防虫剤、芳香剤、消臭剤などを用いた薬剤保持用担体が知られている。いかに揮散性の薬剤を効率的に揮散させるかが課題であり、通気孔を設けた短繊維と長繊維を組み合わせた蒸散体や、合成樹脂材料を中空線状に成形したものが提案されている。
【先行技術文献】
【特許文献】
【０００３】
【特許文献１】特開２０１２−２３６７７７９号
【特許文献２】特開２０１０−１９３７２２号
【発明の概要】
【発明が解決しようとする課題】
【０００４】
薬剤を効率よく揮散させることができるような形状を有する、揮散性薬剤保持用担体を提供することが本発明の課題である。
【課題を解決するための手段】
【０００５】
本発明者は鋭意検討した結果、薬剤保持担体の切れ込み部を開放して空気の流通する隙間を形成させることで、薬剤をより効果的に揮散させ、効力アップが期待できることを特徴とする揮散性薬剤保持用担体が上記課題を解決し得ることを見出した。
即ち、本発明は以下の（１ ）〜 （５ ）の通りである。
（１ ）
連続若しくは不連続で直線、波型、またはジグザグの切り込みがあり、前記切り込みが複数でかつ平行であることを特徴とする揮散性薬剤保持用担体。
（２ ）
切り込みの本数が５ｃｍ×５ｃｍあたり４〜２０本であることを特徴とする（１）の揮散性薬剤保持用担体。
（３ ）
揮散性薬剤保持用担体が、パルプ、紙、不織布、セルロース、レーヨン及び樹脂のいずれか一種であることを特徴とする（１）または（２）に記載の揮散性薬剤保持用担体。
（４ ）
揮散性薬剤が、殺虫剤、防虫剤、芳香剤及び消臭剤のいずれか１種以上からなるものであることを特徴とする（１）から（３）のいずれに記載の揮散性薬剤保持用担体。
（５ ）
（１）から（４）のいずれかに記載の揮散性薬剤保持用担体を、切り込みと平行する方向へ伸長させて使用することを特徴とする薬剤揮散方法。
【発明の効果】
【０００６】
本発明の揮散性薬剤保持用担体によれば、より効果的に薬剤を揮散させることができる。
【図面の簡単な説明】
【０００７】
【図１】図１はジグザグの切り込みを入れた揮散性薬剤保持用担体の説明図である。（実施例１）
【図２】図２は直線の切り込みを入れた揮散性薬剤保持用担体の説明図である。（実施例２）
【図３】図３は波型の切り込みを入れた揮散性薬剤保持用担体の説明図である。
【図４】図４は図１の揮散性薬剤保持用担体を切り込みと平行方向へ伸長させた説明図である。
【発明を実施するための形態】
【０００８】
本発明で用いられる揮散性薬剤を保持させた担体とは、パルプ、紙、不織布などからなる基材に薬剤を含浸または練り込んだ担体のことをいう。
基材の材質としては、揮散性の薬剤を含浸または練り込むことができるもの、例えば、パルプ、紙、不織布、セルロース、レーヨン及び樹脂を挙げることができる。樹脂の組成としては、水溶性高分子でなければいずれでもよいが、硝酸繊維素プラスチック、酢酸繊維素プラスチック、酪酸繊維素プラスチック、プロピオン酸繊維素プラスチック、エチル繊維素プラスチック、ポリエチレン、ポリプロピレン、ポリ塩化ビニール、ポリスチレン等を挙げることができる。特にパルプ、紙が好ましい。
【０００９】
本発明で用いられる揮散性薬剤を保持させた担体は、直線、波型またはジグザグの切り込みがあり、切り込みは連続または不連続で、複数でかつ平行になっている。切り込みの本数は、５ｃｍ×５ｃｍあたり４〜２０本であることが好ましい。
【００１０】
本発明に用いられる揮散性薬剤としては、常温において有効成分が揮散するもので、殺虫剤、防虫剤、芳香剤、消臭剤などを用いることができる。特に殺虫剤が好ましい。
【００１１】
ここで、薬剤に殺虫剤を使用する場合には、各種揮散性殺虫剤を用いることができ、ピレスロイド系殺虫剤、カーバメイト系殺虫剤、有機リン系殺虫剤等を挙げることができる。常温において有効成分が揮散するもので、２５℃ における蒸気圧が５ ． ０ × １ ０ - 6 〜 １． ０ × １ ０ - 4 ｍ ｍ Ｈ ｇ である殺虫性化合物などを用いることができる。例えば、エムペントリン、プロフルトリン、トランスフルトリン、メトフルトリン等の化合物が挙げられる。ピレスロイド系殺虫剤やｐ−メンタン−３，８−ジオールを使用することが好ましく、特にプロフルトリンが好ましい。
【００１２】
防虫剤としては、ｐ−メンタン−３，８−ジオール、Ｎ，Ｎ−ジエチル−ｍ−トルアミド（ＤＥＥＴ）、ｐ−ジクロロベンゼン、カンファー等の化合物が挙げられる。
【００１３】
芳香剤としては、シトロネラ油、オレンジ油、レモン油、ライム油、ユズ油、ラベンダー油、ペパーミント油、ユーカリ油、ジャスミン油、檜油、緑茶精油、リモネン、α―ピネン、リナロール、ゲラニオール、フェニルエチルアルコール、アミルシンナミックアルデヒド、ベンジルアセテートなどが挙げられる。
【００１４】
消臭剤としては、ヒバ油、ヒノキ油、竹エキス、ヨモギエキス、キリ油やピルビン酸エチル、ピルビン酸フェニルエチル等のピルビン酸エステルなどが挙げられる。
【実施例】
【００１５】
次に、実施例をあげて本発明をさらに詳細に説明するが、本発明がこれらの例に限定されるものではない。以下に示す寸法、材質、製法にて揮散性薬剤保持用担体を作製した。
【００１６】
（実施例１）
図１のようなジグザグの切れ込みを有する、縦８４ｍｍ×横１５０ｍｍ×厚み０．８ｍｍ、目付３３０ｇ／ｍ２の濾紙にプロフルトリンを２００ｍｇ含浸させることによって、薬剤を保持させた担体を作製し、薬剤保持用担体１を得た。
【００１７】
（実施例２）
図２のような直線の切れ込みを有する、縦８４ｍｍ×横１５０ｍｍ×厚み０．８ｍｍ、目付３３０ｇ／ｍ２の濾紙にプロフルトリンを２００ｍｇ含浸させることによって、薬剤を保持させた担体を作製し、薬剤保持用担体２を得た。
（比較例）
切れ込みを有さない、縦８４ｍｍ×横１５０ｍｍ×厚み０．８ｍｍ、目付３３０ｇ／ｍ２の濾紙にプロフルトリンを２００ｍｇ含浸させることによって、薬剤を保持させた担体を作製し、薬剤保持用担体３を得た。
【００１８】
（試験例１）
アカイエカ成虫約２０頭を入れたナイロンネット袋（１８メッシュ、直径２０ｃｍ×高さ２０ｃｍ）１個を、試験室（１．８ｍ×１．８ｍ×１．８ｍ）の天井中央から約３０ｃｍ離れた位置に、下端が床面から約９０ｃｍの高さになる様に吊り下げた。実施例１にて得た本発明薬剤保持用担体１、実施例２にて得た本発明薬剤保持用担体２、実施例３にて得た比較薬剤保持用担体を、それぞれ試験室の天井中央に下端が床面から約９０ｃｍの高さになる様に吊り下げ、試験を開始した。本発明薬剤保持用担体１および本発明薬剤保持用担体２は切り込みが平行する方向に伸長させた。その後経時的にノックダウンした成虫を数えてノックダウン率（％）を求めた。反復は２回とした。結果を表１に示す。
【００１９】
【表１】
2018038277.tif 000003
【００２０】
（試験例２）
試験例１と同じ試験装置、試験条件、試験方法で供試虫をオオチョウバエ成虫約２０頭に替えて実施した。結果を表２に示す。
【００２１】
【表２】
2018038277.tif 000004
【産業上の利用可能性】
【００２２】
本発明にかかる揮散性薬剤保持用担体は、薬剤をより効果的に揮散させ、薬剤の効果をすばやく発現させることができる。
【符号の説明】
【００２３】
１  揮散性薬剤保持用担体（８．４×１５ｃｍ）
２  ジグザグの切り込み
３  揮散性薬剤保持用担体（８．４×１５ｃｍ）
４  直線の切り込み
５  揮散性薬剤保持用担体（５×１０ｃｍ）
６  波型の切り込み
７  図１の揮散性薬剤保持用担体を伸長させたもの
【図１】
2018038277.tif 000005
【図２】
2018038277.tif 000006
【図３】
2018038277.tif 000007
【図４】
2018038277.tif 000008